(57)【要約】【課題】実紙面と同様の新聞イメージ画像を表示する電子新聞表示装置を提供する。【解決手段】プログラム及び各種データを記憶する記憶手段と、記憶されたプログラムの実行処理及び各入出力デバイスの制御を司る制御手段と、紙面割りのための座標データを含む実紙面の新聞イメージ画像データを受信する通信接続手段と、ボタン又はポインティングディバイスによる各種操作を受け付ける入力手段と、各種操作に応じて各種テキスト及び新聞イメージ画像を表示する表示手段と、を少なくとも備える電子新聞表示装置であって、画面表示サイズに対応した解像度の新聞イメージ画像データを紙面割り領域毎に受信して表示画面上に選択表示する画像処理手段と、選択された紙面割り領域の新聞イメージ画像データを紙面割りのための座標データに基づき取得して印刷する印刷手段と、を備える。【選択図】図１
0003123114.tif 000002
【実用新案登録請求の範囲】
【請求項１】
アプリケーションを実行するためのプログラム及び各種データを記憶する記憶手段と、
前記記憶手段に記憶されたプログラムの実行、各種データの処理、及び各入出力デバイスの制御を司る制御手段と、
通信ネットワークを介して紙面割りのための座標データを含む実紙面の新聞イメージ画像データ及び各種データを受信する通信接続手段と、
ボタン又はポインティングディバイスによる各種操作を受け付ける入力手段と、
前記入力手段で受け付けた各種操作に応じて各種テキスト及び前記新聞イメージ画像を表示画面上に表示する表示手段と、を少なくとも備える電子新聞表示装置であって、
前記入力手段の操作に応じて画面表示サイズに対応した解像度の前記新聞イメージ画像データを紙面割り領域毎に受信して表示画面上に選択表示する画像処理手段と、
前記入力手段の操作により選択された紙面割り領域の新聞イメージ画像データを前記紙面割りのための座標データに基づき取得して印刷する印刷手段と、を備えることを特徴とする電子新聞表示装置。
【請求項２】
前記表示画面は、前記新聞イメージ画像を表示する表示領域の上部に、電子新聞の発行日付、記事の名前又は見出しを表示するタイトル表示枠、及び印刷処理を含む各所操作のための操作ツール表示部を少なくとも有することを特徴とする請求項１に記載の電子新聞表示装置。
【請求項３】
前記画像処理手段は、前記入力手段の操作に応じて表示画面上の前記新聞イメージ画像のサイズ及び表示範囲を変更する画像拡大縮小手段を有することを特徴とする請求項１に記載の電子新聞表示装置。
【請求項４】
前記画像処理手段は、前記入力手段の操作に応じて表示画面上の前記新聞イメージ画像の紙面を変更するページめくり手段を有することを特徴とする請求項１に記載の電子新聞表示装置。
【請求項５】
前記新聞イメージ画像の印刷は、無線通信接続により外部に接続されたプリンタに対してワイヤレスで行われることを特徴とする請求項１に記載の電子新聞表示装置。
【考案の詳細な説明】
【技術分野】
【０００１】
本考案は、電子新聞表示装置に関するもので、詳しくは通信回線を介して受信した実紙面イメージの新聞画像データをその表示画面上で選択表示する画像表示装置に関するものである。
【背景技術】
【０００２】
通信ネットワークの普及に伴い、ネットワークユーザは、何らかの新聞記事をインターネットより取得して読んでいるものと思われる。毎日配達される新聞にも影響を及ぼし、住環境の変化からも電子新聞購読の需要が高まってきている。例えば、都心部で増加する高層マンションでは電子ロック等のセキュリティシステムの高度化と共に配達形態も変化しており、新聞配達員が上層階まで直接配達することはなく、住民は毎日１階の郵便受けまで降りて新聞を受取らなければならなくなり、読み終わった新聞をまとめて新聞ゴミとして１階まで降ろすのは重労働なので、新聞購読を解約するケースも多発しているという。
【０００３】
上記例のような需要に下支えされてインターネットを通じて新聞記事情報をユーザ端末から新聞社のサーバにアクセスして閲覧する新聞の電子配達サービスが拡大しつつある。新聞記事情報の閲覧は、記事情報をテキストコードに変換し、画像情報はＧＩＦ（Ｇｒａｐｈｉｃｓ  Ｉｎｔｅｒｃｈａｎｇｅ  Ｆｏｒｍａｔ）或いはＪＰＥＧ（Ｊｏｉｎｔ  Ｐｈｏｔｏｇｒａｐｈｉｃ  Ｅｘｐｅｒｔｓ  Ｇｒｏｕｐ）等の画像圧縮情報に変換して、これら双方をＨＴＭＬ（Ｈｙｐｅｒ  Ｔｅｘｔ  Ｍａｒｋｕｐ  Ｌａｎｇｕａｇｅ）によるＷｅｂ用文書フォーマットでユーザ端末にインストールされているＷｅｂブラウザプログラムによって表示させるのが一般的である。
【０００４】
このようなシステム例としては、例えば、特許文献１に開示の「電子新聞配信システム」が挙げられる。
【特許文献１】特開２００３−１０８８７２号公報
【考案の開示】
【考案が解決しようとする課題】
【０００５】
しかしながら、従来のインターネットを介した新聞の電子配達システムでは、新聞記事はテキストデータ、写真や画像はＧＩＦ、ＪＰＥＧ、ＰＤＦ（Ｐｏｒｔａｂｌｅ  Ｄｏｃｕｍｅｎｔ  Ｆｏｒｍａｔ）等のイメージデータ等により処理して格納する、というように処理が重複して、編集処理が複雑であるという問題があった。
【０００６】
そこで、本考案は、実際に配達されている紙面の新聞イメージのままの画像データを表示画面上に表示し、表示された新聞イメージ画像をユーザ操作に応じて任意の画像サイズ及びその位置を選択して表示することができ、紙面割りに応じた新聞紙面の領域の画像データを抽出して印刷することができる電子新聞表示装置を提供することを目的とする。
【課題を解決するための手段】
【０００７】
上記目的を達成するため、請求項１に係る本考案の電子新聞表示装置は、アプリケーションを実行するためのプログラム及び各種データを記憶する記憶手段と、前記記憶手段に記憶されたプログラムの実行、各種データの処理、及び各入出力デバイスの制御を司る制御手段と、通信ネットワークを介して紙面割りのための座標データを含む実紙面の新聞イメージ画像データ及び各種データを受信する通信接続手段と、ボタン又はポインティングディバイスによる各種操作を受け付ける入力手段と、前記入力手段で受け付けた各種操作に応じて各種テキスト及び前記新聞イメージ画像を表示画面上に表示する表示手段と、を少なくとも備える電子新聞表示装置であって、前記入力手段の操作に応じて画面表示サイズに対応した解像度の前記新聞イメージ画像データを紙面割り領域毎に受信して表示画面上に選択表示する画像処理手段と、前記入力手段の操作により選択された紙面割り領域の新聞イメージ画像データを前記紙面割りのための座標データに基づき取得して印刷する印刷手段と、を備えることを特徴とする。
また、請求項２に係る考案の前記表示画面は、前記新聞イメージ画像を表示する表示領域の上部に、電子新聞の発行日付、記事の名前又は見出しを表示するタイトル表示枠、及び印刷処理を含む各所操作のための操作ツール表示部を少なくとも有することを特徴とする。
また、請求項３に係る考案の前記画像処理手段は、前記入力手段の操作に応じて表示画面上の前記新聞イメージ画像のサイズ及び表示範囲を変更する画像拡大縮小手段を有することを特徴とする。
また、請求項４に係る考案の前記画像処理手段は、前記入力手段の操作に応じて表示画面上の前記新聞イメージ画像の紙面を変更するページめくり手段を有することを特徴とする。
また、請求項５に係る考案の前記新聞イメージ画像の印刷は、無線通信接続により外部に接続されたプリンタに対してワイヤレスで行われることを特徴とする。
【考案の効果】
【０００８】
本考案の電子新聞表示装置によれば、実際の紙面イメージの画像を表示画面サイズに応じた解像度の画像データとして受信し、実紙面の新聞イメージ画像としてそのまま表示画面上に表示し、ユーザ操作に応じてその画像サイズや表示位置を選択できるので、実際の新聞紙面を読む場合と変わらない操作感が得られるという効果がある。また、紙面割り情報を含んでいるので、選択した記事を印刷することで簡単にスクラップブックを作成できるという効果がある。
【考案を実施するための最良の形態】
【０００９】
以下、本考案を実施するための最良の形態について図を参照して説明する。
図１は、本考案の一実施例による電子新聞表示装置の概略構成図であり、図２は、電子新聞表示装置の一実施例による正面図を示している。
【００１０】
図１に示すように電子新聞表示装置１は、各種操作を行う入力手段（操作部）１３や、操作に応じて表示画面上に新聞イメージ画像を表示する表示手段（ＬＣＤ：液晶ディスプレイ）１４を備えており、表示される新聞イメージ画像データは、通信接続手段１５を介してインターネット等の通信ネットワークより受信して記憶手段１２のＲＡＭ（Ｒａｎｄｏｍ  Ａｃｃｅｓｓ  Ｍｅｍｏｒｙ）やＨＤＤ（ハードディスク装置）に取込まれ、ユーザ操作に応じて入力手段（操作部）１３を介して制御手段（ＣＰＵ：中央演算処理装置）１１にその処理が受け渡され、制御手段１１の司令に従って画像処理手段１６が表示手段１４を用いて新聞イメージ画像を表示する。
【００１１】
新聞イメージ画像を表示する際は、ＪＰＥＧ（Ｊｏｉｎｔ  Ｐｈｏｔｏｇｒａｐｈｉｃ  Ｅｘｐｅｒｔｓ  Ｇｒｏｕｐ）等により画像圧縮（エンコード）されて受信されたデジタル画像データを、画像処理手段１６によりデコードし、表示手段１４のＬＣＤ画面等に表示できるように各画素に対応した画像データに変換する。画像処理手段１６は、ハードウェアエンジンにより構成されたデコーダ（圧縮データの復号化処理）を有しており、圧縮されたデジタル画像データをＬＣＤ表示部４６に表示する際の復号（デコード）処理を担っている。上記の処理を司る制御手段１１は、記憶手段１２のＲＯＭ（Ｒｅａｄ  Ｏｎｌｙ  Ｍｅｍｏｒｙ）やＦｌａｓｈメモリに記憶されているプログラムを実行することで、上記各手段を機能させる。
【００１２】
電子新聞表示装置１は、印刷手段１７を備えており、表示画面上に表示された新聞イメージ画像データの紙面割り部分を指定することで、その紙面割り領域を印刷することができる。紙面印刷は、外部入出力手段１８のＵＳＢ（Ｕｎｉｖｅｒｓａｌ  Ｓｅｒｉａｌ  Ｂｕｓ）を介して外部に接続されたプリンタに出力することで行われる。また、図示していないが、電子新聞表示装置１には無線ＬＡＮが内蔵されており、無線ＬＡＮに対応するプリンタに対してワイヤレスで接続することもできる。無線ＬＡＮに代わる無線通信接続として、ブルートゥースや赤外線通信を用いてもよい。
【００１３】
図２に示す電子新聞表示装置１は、タブレット型コンピュータの表示装置に適用した一例であり、ＬＣＤ等を用いて表示する表示画面２と複数の操作ボタン類３やインジケータ４を備えており、操作ボタン類３には、主に、表示画面２上の新聞イメージ画像の、紙面の各面の選択、画像表示位置の移動、画像サイズの拡大又は縮小等の操作を行うための十字状に配置された上下左右の操作ボタン及び中央の決定ボタンからなる操作部５が含まれている。
【００１４】
表示画面２内には、実際に配達される紙面と同様の新聞イメージ画像７が表示され、表示画面２の上部には、操作ツール表示部６が備えられており、新聞紙名「☆☆ネット新聞」、発行年月日「２００６年４月２０日」、紙面の各面を選択する矢印アイコン、紙面の表示面の番号とそのタイトル表示枠「１面：総合」、印刷アイコン、検索アイコン、調査リンクのためのアイコン等の他、各種設定ツール（図示せず）が用意されている。
【００１５】
新聞イメージ画像７を印刷する場合は、新聞イメージ画像の紙面割りに基づいて行われ、希望する記事が含まれる画像領域をクリックすると、図２に示すように、紙面割り領域８の領域範囲が線で囲まれて表示されるので、その状態で、操作ツール表示部６の印刷アイコンを指定することでその範囲が印刷される。
【００１６】
新聞イメージ画像の紙面構成は、複数の紙面割り画像の集合で構成されており、各紙面割り画像データ受信の際に、各紙面割り画像データに関連付けられた紙面全体に対する相対座標値データが受信される。電子新聞表示装置１は、この紙面割り座標データに基づいて全体の新聞イメージ画像を表示画面２上に構成する。
新聞イメージ画像の拡大又は縮小操作の際は、表示画面２に表示される紙面割り画像データを、その表示画像サイズに応じた解像度の紙面割り画像データに置き換えて表示する。拡大又は縮小操作に応じた解像度の紙面割り画像を表示する際は、その都度対応する紙面割り画像データを受信するのではなく、その表示領域と表示サイズ、及び何面かに応じて次に表示されるべき紙面割り画像データ先読み受信をしておくことで、ユーザ操作に伴うレスポンスを改善している。
【００１７】
最後に、図３を参照して電子新聞表示装置１の表示画面２に表示された紙面割り領域の画像を印刷する際の印刷形態について説明する。
図３（ａ）は、外部入出力手段１８のＵＳＢポートにＵＳＢケーブルを接続してプリンタに接続した一例であり、表示画面２で指定された紙面割り領域８を印刷手段１７のプリンタドライバを介して印刷する形態である。ＵＳＢに代わり有線ＬＡＮのネットワーク対応プリンタ、或いはプリントサーバを介してプリンタに印刷しても良い。
図３（ｂ）は、プリンタとの接続を無線ＬＡＮ通信により行うもので、無線ＬＡＮを組み込むか、或いは無線ＬＡＮのプリントサーバを介して接続されたプリンタに印刷する形態である。対応するプリンタによっては、無線ＬＡＮに代わりブルートゥース等の近距離無線通信や赤外線通信によるワイヤレス接続にすることも可能である。
図３（ｃ）は、印刷機構を電子新聞表示装置１内に一体に組み込んだもので、外部にプリンタを用意せずに、電子新聞表示装置１のみで印刷ができるようになる。
図３（ｄ）は、印刷機構を、充電器等を組み込んだクレードル（拡張装置：接続台）に組み込んだ構成である。
【００１８】
本考案の電子新聞表示装置は、上述したタブレッタ型や携帯型の形態に限らず、様々なコンピュータシステムにより構成でき、デスクトップ型やノート型コンピュータだけでなく、ポータブルＤＶＤプレイヤ、ポータブルＧＰＳ受信機、デジタルカメラ、携帯電話、携帯音楽プレイヤ、或いは電子手帳や携帯情報端末（ＰＤＡ）、等の携帯型電子機器の他、カーナビゲーションシステムのような移動体に備え付けられる装置に組み込むことも可能である。
【図面の簡単な説明】
【００１９】
【図１】本考案の一実施例による電子新聞表示装置の概略構成図である。
【図２】図１に示す電子新聞表示装置の一実施例による正面図である。
【図３】図１に示す電子新聞表示装置の一実施形態による印刷の構成図であり、（ａ）はＵＳＢによる接続、（ｂ）は無線ＬＡＮによる接続、（ｃ）は印刷機構を一体に組み込み、（ｄ）は印刷機構をクレードル（拡張装置）に組み込んだ構成である。
【符号の説明】
【００２０】
１    電子新聞表示装置
２    表示画面
３    操作ボタン類
４    インジケータ
５    操作部
６    操作ツール表示部
７    新聞イメージ画像
８    紙面割り領域
１０    プリンタ
１１    制御手段
１２    記憶手段
１３    入力手段
１４    表示手段
１５    通信手段
１６    画像処理手段
１７    印刷手段
１８    外部入出力手段
【図１】
0003123114.tif 000003
【図２】
0003123114.tif 000004
【図３】
0003123114.tif 000005